【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
衣類であって：
第１の端部と、前記第１の端部の反対にある第２の端部とを有する身ごろを備え、
前記身ごろは：
着用者の腹部域の一部分にかけて伸長するように構成された第１の編みパターンと、着用者の胸部域の一部分にかけて伸長するように構成された第２の編みパターンと、第１の外縁と、第２の外縁とを有する前面編地領域と；
前記第１の編みパターンと、第３の外縁と、第４の外縁とを有し、前記着用者の背中の一部分の辺りに伸長するように構成された後面編地領域と；
前記第１の編みパターンと異なる第３の編みパターンを有し、前記前面編地領域の第１の外縁と、前記後面編地領域の第３の外縁との間に延在し、前記着用者の左側部域の一部分の辺り及び前記着用者の左臀部の側部の一部分の辺りに伸長するように構成された第１の側面編地領域であって、前記第３の編みパターンは、編みメッシュパターンであり、前記第２の編みパターンは、前記第１の編みパターンよりも伸長性と通気性が高いが、前記第３の編みパターンよりも伸長性と通気性が低い編みメッシュパターンである、前記第１の側面編地領域と；
前記第３の編みパターンを有し、前記前面編地領域の前記第２の外縁と、前記後面編地領域の前記第４の外縁との間に延在し、前記着用者の右側部域の一部分の辺り及び前記着用者の右臀部の側部の一部分の辺りに伸長するように構成された第２の側面編地領域と；を備える、
衣類。
【請求項２】
前記前面編地領域と、前記第１の側面編地領域と、前記後面編地領域と、前記第２の側面編地領域とは、丸編みされた筒状身ごろとして一体に形成される、
請求項１に記載の衣類。
【請求項３】
前記着用者の胸部域は、前記着用者の乳房を備える、
請求項２に記載の衣類。
【請求項４】
前記第３の編みパターンを有する領域の重さは、１平方ヤード当たり８．５オンス未満である、
請求項１乃至請求項３のいずれか１項に記載の衣類。
【請求項５】
前記第３の編みパターンを有する領域は、ナイロン糸を用いて浮き添え糸編みで編まれた、エラストマで被覆した地糸を備える、弾性２×２浮き編み構造である、
請求項１乃至請求項４のいずれか１項に記載の衣類。
【請求項６】
前記第３の編みパターンは、一列に配列された３つの第１の開口から成る複数のグループを備え、
前記グループは、前記第１の開口よりも小さい複数の第２の開口によって間が空けられており、
前記第３の編みパターンを有する領域は、前記編みメッシュの弛緩（リラックス）時において、１平方インチ当たり３００個の前記グループを備える、
請求項１乃至請求項５のいずれか１項のいずれか１項に記載の衣類。
【請求項７】
前記身ごろの前記第２の端部にて、前記前面編地領域と、前記第１の側面編地領域と、前記後面編地領域と、前記第２の側面編地領域とに取り付けられた筒状のウエストバンドを更に備える、
請求項１乃至請求項６のいずれか１項に記載の衣類。
【請求項８】
前記第１の編みパターンは、シングル又はダブルジャージ編み構造を備える、
請求項１乃至請求項７のいずれか１項に記載の衣類。
【請求項９】
前記第１の編みパターンは、前記第２の編みパターンと同じである、
請求項１乃至請求項８のいずれか１項に記載の衣類。
【請求項１０】
前記衣類は、肌着である、
請求項１乃至請求項９のいずれか１項に記載の衣類。
【請求項１１】
衣類の製造方法であって：
衣類の身ごろを形成するために、筒状の未加工編地を丸編みするステップであって、
前記身ごろは、第１の端部と、前記第１の端部の反対にある第２の端部とを有し、
前記身ごろは：
着用者の腹部域の一部分にかけて伸長するように構成された第１の編みパターンと、着用者の胸部域の一部分にかけて伸長するように構成された第２の編みパターンとを有し、第１の外縁と第２の外縁とを有する、前面編地領域と；
第１の編地パターンを有し、第３の外縁と第４の外縁とを有し、前記着用者の背中の一部分の辺りに伸長するように構成された、後面編地領域と；
前記第１の編みパターンと異なる第３の編みパターンを有し、前記第１の外縁と前記第３の外縁との間に延在し、前記着用者の左側部域の一部分の辺り及び前記着用者の左臀部の側部の一部分の辺りに伸長するように構成された、第１の側面編地領域であって、前記第３の編みパターンは、編みメッシュパターンであり、前記第２の編みパターンは、前記第１の編みパターンよりも伸長性と通気性が高いが、前記第３の編みパターンよりも伸長性と通気性が低い編みメッシュパターンである、前記第１の側面編地領域と；
前記第３の編みパターンを有し、前記第２の外縁と前記第４の外縁との間に延在し、前記着用者の右側部域の一部分の辺り及び前記着用者の右臀部の側部の一部分の辺りに伸長するように構成された、第２の側面編地領域と；を備える、前記丸編みするステップと；
前記第１の端部の近位にて、前記第１の側面編地領域と、前記前面編地領域の第１の部分と、前記後面編地領域の第１の部分とにかけて第１の袖ぐりを裁断するステップと；
前記第１の端部の近位にて、前記第２の側面編地領域と、前記前面編地領域の第２の部分と、前記後面編地領域の第２の部分とにかけて第２の袖ぐりを裁断するステップと；
前記第１の端部の近位にて、前記前面編地領域の第３の部分にかけて第１の襟ぐり部分を裁断するステップと；
前記第１の端部の近位にて、前記後面編地領域の第４の部分にかけて第２の襟ぐり部分を裁断するステップと；
前記第１の端部の近位にて、第１のショルダストラップを形成するために、前記前面編地領域を前記後面編地領域と結合するステップと；
前記第１の端部の近位にて、第２のショルダストラップを形成するために、前記前面編地領域を前記後面編地領域と結合するステップと；を備える、
衣類の製造方法。
【請求項１２】
前記第３の編みパターンを有する領域の重さは、１平方ヤード当たり８．５オンス未満である、
請求項１１に記載の方法。
【請求項１３】
前記第３の編みパターンを有する領域は、ナイロン糸を用いて浮き添え糸編みで編まれた、エラストマで被覆した地糸を備える、弾性２×２浮き編み構造である、
請求項１１又は請求項１２に記載の方法。
【請求項１４】
前記第３の編みパターンは、一列に配列された３つの第１の開口から成る複数のグループを備え、
前記グループは、前記第１の開口よりも小さい複数の第２の開口によって間が空けられており、
前記第３の編みパターンを有する領域は、前記編みメッシュの弛緩（リラックス）時において、１平方インチ当たり３００個の前記グループを備える、
請求項１１乃至請求項１３のいずれか１項に記載の方法。
【請求項１５】
前記第１の編みパターンは、シングル又はダブルジャージ編み構造である、
請求項１１乃至請求項１４のいずれか１項に記載の方法。
【請求項１６】
前記第１の編みパターンは、前記第２の編みパターンと同じである、
請求項１１乃至請求項１５のいずれか１項に記載の方法。
【手続補正２】
【補正対象書類名】明細書
【補正対象項目名】００６４
【補正方法】変更
【補正の内容】
【００６４】
以上、いくつかの実施について詳細に述べたが、他の改変が可能である。例えば、望ましい結果を達成するためには、図面に示す論理フローが図示通りの特定の順序、又は連続する順序である必要はない。加えて、記述したフローに他のステップを提供してもよく、ステップを省略してもよく、又、記述した衣類に他の構成部分を追加又は削除してもよい。したがって、他の実施は以下の特許請求の範囲に含まれる。
［第１の局面］
衣類であって：
第１の端部と、前記第１の端部の反対にある第２の端部とを有する身ごろを備え、
前記身ごろは：
着用者の腹部域の一部分にかけて伸長するように構成された第１の編みパターンと、着用者の胸部域の一部分にかけて伸長するように構成された第２の編みパターンと、第１の外縁と、第２の外縁とを有する前面編地領域と；
前記第１の編みパターンと、第３の外縁と、第４の外縁とを有し、前記着用者の背中の一部分の辺りに伸長するように構成された後面編地領域と；
ｖ前記第１の編みパターンと異なる第３の編みパターンを有し、前記前面編地領域の第１の外縁と、前記後面編地領域の第３の外縁との間に延在し、前記着用者の左側部域の一部分の辺り及び前記着用者の左臀部の側部の一部分の辺りに伸長するように構成された第１の側面編地領域と；
前記第３の編みパターンを有し、前記前面編地領域の前記外縁と、前記後面編地領域の前記外縁との間に延在し、前記着用者の右側部域の一部分の辺り及び前記着用者の右臀部の側部の一部分の辺りに伸長するように構成された第２の側面編地領域と；を備える、
衣類。
［第２の局面］
前記前面編地領域と、前記第１の側面編地領域と、前記後面編地領域と、前記第２の側面編地領域とは、丸編みされた筒状身ごろとして一体に形成される、
第１の局面に記載の衣類。
［第３の局面］
前記着用者の胸部域は、前記着用者の乳房を備える、
第２の局面に記載の衣類。
［第４の局面］
前記第３の編みパターンは、編みメッシュパターンである、
第１の局面又は第２の局面に記載の衣類。
［第５の局面］
前記第３の編みパターンを有する領域の重さは、１平方ヤード当たり８．５オンス未満である、
第４の局面に記載の衣類。
［第６の局面］
前記第３の編みパターンを有する領域は、ナイロン糸を用いて浮き添え糸編みで編まれた、エラストマで被覆した地糸を備える、弾性２×２浮き編み構造である、
第４の局面又は第５の局面に記載の衣類。
［第７の局面］
前記第３の編みパターンは、一列に配列された３つの第１の開口から成る複数のグループを備え、
前記グループは、前記第１の開口よりも小さい複数の第２の開口によって間が空けられており、
前記第２の編みパターンを有する領域は、前記編みメッシュの弛緩（リラックス）時において、１平方インチ当たり約３００個の前記グループを備える、
第４の局面乃至第６の局面のいずれかに記載の衣類。
［第８の局面］
前記身ごろの前記第２の端部にて、前記前面編地領域と、前記第１の側面編地領域と、前記後面編地領域と、前記第２の側面編地領域とに取り付けられた筒状のウエストバンドを更に備える、
第１の局面乃至第７の局面のいずれかに記載の衣類。
［第９の局面］
前記第１の編みパターンは、シングル又はダブルジャージ編み構造を備える、
第１の局面乃至第８の局面のいずれかに記載の衣類。
［第１０の局面］
前記第２の編みパターンは、前記第１の編みパターンよりも伸長性と通気性が高いが、前記第３の編みパターンよりも伸長性と通気性が低い編みメッシュパターンである、
第１の局面乃至第９の局面のいずれかに記載の衣類。
［第１１の局面］
前記第１の編みパターンは、前記第２の編みパターンと同じである、
第１の局面乃至第１０の局面のいずれかに記載の衣類。
［第１２の局面］
前記衣類は、肌着である、
第１の局面乃至第１１の局面のいずれかに記載の衣類。
［第１３の局面］
衣類の製造方法であって：
衣類の身ごろを形成するために、筒状の未加工編地を丸編みするステップであって、
前記身ごろは、第１の端部と、前記第１の端部の反対にある第２の端部とを有し、
前記身ごろは：
着用者の腹部域の一部分にかけて伸長するように構成された第１の編みパターンと、着用者の胸部域の一部分にかけて伸長するように構成された第２の編みパターンとを有し、第１の外縁と第２の外縁とを有する、前面編地領域と；
第１の編地パターンを有し、第３の外縁と第４の外縁とを有し、前記着用者の背中の一部分の辺りに伸長するように構成された、後面編地領域と；
前記第１の編みパターンと異なる第３の編みパターンを有し、前記第１の外縁と前記第３の外縁との間に延在し、前記着用者の左側部域の一部分の辺り及び前記着用者の左臀部の側部の一部分の辺りに伸長するように構成された、第１の側面編地領域と；
前記第２の編みパターンを有し、前記第２の外縁と前記第４の外縁との間に延在し、前記着用者の右側部域の一部分の辺り及び前記着用者の右臀部の側部の一部分の辺りに伸長するように構成された、第２の側面編地領域と；を備える、前記丸編みするステップと；
前記第１の端部の近位にて、前記第１の側面編地領域と、前記前面編地領域の第１の部分と、前記後面編地領域の第１の部分とにかけて第１の袖ぐりを裁断するステップと；
前記第１の端部の近位にて、前記第２の側面編地領域と、前記前面編地領域の第２の部分と、前記後面編地領域の第２の部分とにかけて第２の袖ぐりを裁断するステップと；
前記第１の端部の近位にて、前記前面編地領域の第３の部分にかけて第１の襟ぐり部分を裁断するステップと；
前記第１の端部の近位にて、前記後面編地領域の第４の部分にかけて第２の襟ぐり部分を裁断するステップと；
前記第１の端部の近位にて、第１のショルダストラップを形成するために、前記前面編地領域を前記後面編地領域と結合するステップと；
前記第１の端部の近位にて、第２のショルダストラップを形成するために、前記前面編地領域を前記後面編地領域と結合するステップと；を備える、
衣類の製造方法。
［第１４の局面］
編みメッシュパターンで、前記第３の編みパターンを編むステップ；を更に備える、
第１３の局面に記載の方法。
［第１５の局面］
前記第３の編みパターンを有する領域の重さは、１平方ヤード当たり８．５オンス未満である、
第１４の局面に記載の方法。
［第１６の局面］
前記第３の編みパターンを有する領域は、ナイロン糸を用いて浮き添え糸編みで編まれた、エラストマで被覆した地糸を備える、弾性２×２浮き編み構造である、
第１４の局面又は第１５の局面に記載の方法。
［第１７の局面］
前記第３の編みパターンは、一列に配列された３つの第１の開口から成る複数のグループを備え、
前記グループは、前記第１の開口よりも小さい複数の第２の開口によって間が空けられており、
前記第２の編みパターンを有する領域は、前記編みメッシュの弛緩（リラックス）時において、１平方インチ当たり約３００個の前記グループを備える、
第１４の局面乃至第１６の局面のいずれかに記載の方法。
［第１８の局面］
前記第１の編みパターンは、シングル又はダブルジャージ編み構造である、
第１３の局面乃至第１７の局面のいずれかに記載の方法。
［第１９の局面］
前記第１の編みパターンは、前記第２の編みパターンと同じである、
第１３の局面乃至第１８の局面のいずれかに記載の方法。
［第２０の局面］
前記第２の編みパターンは、前記第１の編みパターンよりも伸長性と通気性が高いが、前記第３の編みパターンよりも伸長性と通気性が低い編みメッシュパターンである、
第１３の局面乃至第１９の局面のいずれかに記載の方法。